(57)【要約】【課題】  取り付けねじを強く締め付けることができ、かつ取り付けねじを強く締め付けても、圧力をシールゴムに集中させることがなく、シールゴムを使用した英式バルブの性能を最大限度に引き出し得るようにし、かつまた工具類を使用して取り付けねじを強く締め付けることによりゆるまず、いたずらさせるおそれをなくす。【解決手段】  チューブに取り付けられている弁筒部にシールゴム付きの注入弁を差し込み、弁筒口部周辺のねじと螺合する取り付けねじにより注入弁を固定する構成を有する英式バルブにおいて、弁筒部１２と係合し、注入弁１５…の差し込み量を管理する係合手段を弁筒口部１４と注入弁１５…との間に設け、上記係合手段により取り付けねじ２５…のねじ込み限度を規定し、シールゴム１８を過度に圧迫することなく弁筒口部１４と取り付けねじ２５…との緊締を可能にする。【選択図】          図１
2006226379.tif 000002
【特許請求の範囲】
【請求項１】
チューブに取り付けられている弁筒部にシールゴム付きの注入弁を差し込み、弁筒口部周辺のねじと螺合する取り付けねじにより注入弁を固定する構成を有する英式バルブにおいて、
弁筒部と係合し、注入弁の差し込み量を管理する係合手段を弁筒口部と注入弁との間に設け、上記係合手段により取り付けねじのねじ込み限度を規定し、シールゴムを過度に圧迫することなく弁筒口部と取り付けねじとの緊締を可能にしたことを特徴とする英式バル
ブ。
【請求項２】
係合手段は、弁筒口部に形成した凹部と、それと係合可能に注入弁外面に形成した凸部とから成り、凹部底に凸部先端が接することにより注入弁の差し込み量を規定する請求項１記載の英式バルブ。
【請求項３】
係合手段は、弁筒口部に形成した凹部と、それと係合可能に注入弁外面に形成した凸部とから成り、取り付けねじのねじ込み限度において、凹部底と凸部先端との間に隙間を生じる請求項１記載の英式バルブ。
【請求項４】
係合手段は、取り付けねじと接触することにより弁筒口部に押し付けられ、かつ弁筒口部の端面に固定されることにより注入弁の差し込み量を管理する周方向の突部を有している請求項１記載の英式バルブ。
【発明の詳細な説明】
【技術分野】
【０００１】
本発明は、チューブに取り付けられている弁筒部にシールゴム付きの注入弁を差し込
み、弁筒口部周辺のねじと螺合する取り付けねじにより注入弁を固定する構成を有する英式バルブに関するものである。
【背景技術】
【０００２】
英式バルブは、注入弁に取り付けた虫ゴムと呼ばれるゴム部品によって弁口を閉じる構成を有するものであるが、注入弁を弁筒部に固定する取り付けねじを強く締めると、注入弁と弁筒部に挟まれている虫ゴムの部分に圧力が集中し、虫ゴムが破断して空気漏れの原因となるという問題があった。つまり英式バルブは、虫ゴムによって注入弁と弁筒部との間の気密性を維持しているので、工具類を使用して、ねじを強く締めてはならず、適当な気密性の得られる範囲に締め付けトルクをとどめる必要がある。この隙間のために、取り付けねじを強く締めたつもりでも、虫ゴムの弾力でゆるみが出やすいとか、いたずらされやすいという、宿命的な弱点を持っているといっても過言ではない。しかし、構造が簡単であり、故障があっても殆どの場合虫ゴムの交換で済むので、高圧を必要としない用途では長年使われ続けているものである。なお、英式バルブに関する発明、考案には次の２点があるが、上記の弱点を改良するものではない。
【０００３】
【特許文献１】特開２００２−１３７６１２号
【特許文献２】登録実用新案第３０４４３８７号
【発明の開示】
【発明が解決しようとする課題】
【０００４】
本発明は前記の点に着目してなされたものであって、その課題は、取り付けねじを強く締め付けることができ、かつ取り付けねじを強く締め付けても、圧力を虫ゴムに集中させることがなく、虫ゴムを使用した英式バルブの性能を最大限度に引き出し得るようにすることである。また本発明の他の課題は、工具類を使用して取り付けねじを強く締め付け可能とすることにより、ゆるまず、いたずらされるおそれのない英式バルブを提供することである。
【課題を解決するための手段】
【０００５】
前記の課題を解決するため、本発明は、チューブに取り付けられている弁筒部に虫ゴム付きの注入弁を差し込み、弁筒口部周辺のねじと螺合する取り付けねじにより注入弁を固定する構成を有する英式バルブにおいて、弁筒部と係合し、注入弁の差し込み量を管理する係合手段を弁筒口部と注入弁との間に設け、上記係合手段により取り付けねじのねじ込み限度を規定し、シールゴムを過度に圧迫することなく弁筒口部と取り付けねじとの緊締を可能にするという手段を講じたものである。
【０００６】
英式バルブは、注入弁に開けられている小孔を虫ゴムと呼ばれるパイプ状のゴムを嵌めて閉塞し、空気を注入しているときには圧縮空気の圧力で虫ゴムを押し開き、圧力が減少すれば直ちに虫ゴムが収縮することで漏れを防止する構成を有している、図１Ａに示した構造のものが典型的である。しかし、弁筒部と注入弁との間のシール性にも虫ゴムが関与しているため、虫ゴムを強く締め付けると破断する可能性があり、この弱点を解決するため、本発明では、弁筒部と注入弁との間にて必要な加圧力が得られている状態を限度として、それ以上の過度の加圧力が虫ゴムに及ばないように、弁筒口部と注入弁との間に係合手段を設け、注入弁の弁筒部内への差し込み量を管理するものである。注入弁としての弁ゴムを先端に設け、弁筒部との気密を保つシールゴムとに分けた図１Ｂに示した構造のものもあり、この場合にはシールゴムが本発明における対象になる。
【０００７】
係合手段は、弁筒口部と注入弁との間において係合を生じ、それ以上注入弁が弁筒部内に差し込めないようにするもので、注入弁が弁筒部に差し込まれることなく突出している量（Ｌ）を管理することでもある（図２ないし４参照）。このような係合手段は、従来の英式バルブの使いやすさを損わずに済み、また英式バルブを根本的に変えずに済む可能性が高いものである。弁筒部内に注入弁を差し込む量は、経験的に、或いは実験的に決定することができ、また、弁筒部の内径と注入弁の外径の差と、そこに挟まれる虫ゴムの厚味とを勘案しても決定することができる。
【０００８】
係合手段は、弁筒口部に形成した凹部と、それと係合可能に注入弁外面に形成した凸部とから成る、構成とすることができる。弁筒口部に形成した凹部と、注入弁外面に形成した凸部とは、従来の英式バルブにも見られる構造であるが、従来の凹凸嵌合構造は、凹部底に凸部先端が接するまで締め付けるとシールゴムを損傷し破断を招くので本発明における係合手段ではなく、取り付けねじの螺合の際に注入弁が回転してしまうのを防ぐ回転止めと考えて良い。
【０００９】
凹部と凸部の態様としては、凹部底に凸部先端が接することにより注入弁の差し込み量を規定する態様（図１Ａ、図２のもの）と、取り付けねじのねじ込み限度において、凹部底と凸部先端との間に隙間を生じる態様（図１Ｂ、図３のもの）とがあり得る。前者は凸部がねじ込み限度を規定し、後者は取り付けねじがねじ込み限度を規定している。また係合手段は、取り付けねじと接触することにより弁筒口部に押し付けられ、かつ弁筒口部の端面に固定されることにより注入弁の差し込み量を管理する周方向の突部を有している、という態様を取っても良い（図１Ｃ、図４のもの）。どの態様を取る場合でも、取り付けねじのねじ込み限度でシールゴムに対して適度の加圧力が働いていることはいうまでもない。
【発明の効果】
【００１０】
本発明は上記のように構成されかつ作用するものであるから、取り付けねじを弁筒部に対して強く締め付けることができ、かつ強く取り付けねじを締め付けても、圧力を虫ゴムに集中させることがないので、シールゴムは損傷せず、英式バルブのシール効果は１００パーセント発揮される。また、取り付けねじを工具を使用して締め付けることが可能であるから、駐輪中にいたずらされたり使用中にゆるんだりすることがない。
【発明を実施するための最良の形態】
【００１１】
以下図示の実施形態を参照して本発明を詳細に説明すると、各図において、１１はチューブ、１２はそれに取り付けられている弁筒部であり、外周面におねじ部１３が形成されている。この弁筒部１２の端部は注入弁１５が差し込まれる口を形成する弁筒口部１４である。
【００１２】
注入弁１５は、下部が閉じ上部が開いた中空な部材であり、下部に近く、小孔１６を有し、かつ中間位置に算盤玉の出っ張りのような突部１７を有していて、虫ゴムとして示されたシールゴム１８は突部１７を包む箇所まで注入弁１５の下半部を覆う。シールゴム１８による気密シール効果を得るために、突部１７の外径と弁筒部１２の内径との差よりもシールゴム１８の厚味はやや大きい必要がある。
【００１３】
弁筒口部１４と係合し、注入弁１５の差し込み量を規定する係合手段として、図面には４例が示されている。図１Ａの例１は、弁筒口部１４に形成した筒軸方向の凹部２１と、注入弁外面に形成した凸部２２から成る係合手段である。この例１の凹部２１と凸部２２は従来のものと類似しているようにも見えるが、凸部２２は、その先端２３が凹部底２４に接するように長く形成してあり、それによってシールゴム１８の過度の圧迫を防止しているので根本的に異なる構成である（図２参照）。
【００１４】
注入弁１５は弁筒口部１４に取り付けねじ２５によって取り付けられる。そのため注入弁１５は前記おねじ部１３と螺合可能なめねじ部２６を内周に有し、かつ注入弁１５の係合部２７と係合可能な袋状口部２８を上端部に有している。なお、例１に示す取り付けねじ２５は、螺合用の滑り止め２９としてローレット加工部を有している。
【００１５】
故に、弁筒口部１４に、注入弁１５をシールゴム１８で覆われた下半部から差し込み、凹部２１と凸部２２とを係合させ、取り付けねじ２５のめねじ部２６にて弁筒口部周面のおねじ部１３と螺合させることにより、凹部底２４に凸部先端２３が接した状態で強く締め付け、注入弁１５を固定することができる。このとき、弁筒口部１４の上方に隙間１９が形成されており、さらにまた弁筒口部１４から突出している量Ｌを確かめることによって、注入弁１５、取り付けねじ２５の弁筒部１２に対する取り付け方の正否を判断することができる。
【００１６】
図１Ｂに示す例２は、取り付けねじ２５′のねじ込み限度において、凹部底３４と凸部先端３３との間に隙間３５を生じる凹部３１と凸部３２から成る係合手段である。この例２では、凹部３１が深く形成され、凸部先端３３が凹部底３４に接しない内に、取り付けねじ２５′のめねじ部２６と弁筒部１２のおねじ部１３とのねじ込みが限界に達する構成である（図３参照）。例２の注入弁１５′は前記のように弁ゴム１８ａとシールゴム
１８′とに分かれた構造を有しており、注入時には弁ゴム１８ａが移動する。なお限界とはねじ込めない状態をいう。以下共通の構成は図１Ａの符号を援用する。故に、弁筒部１２に注入弁１５′を前記と同様に差し込み、凹部３１と凸部３２とを係合させ、取り付けねじ２５′を同様に弁筒部１３に螺合によって取り付けると、凹部底３４と凸部先端３３が隙間３５をおいている状態で、係合部２７と袋状口部２８が係合し、注入弁１５′を固定することができる。この弁筒口部１４から突出している量Ｌは前例１と同一となり、シールゴム１８′に対する加圧力も前例１と同様に適正となる。例示の取り付けねじ２５′では、螺合時の滑り止め２９′として２箇所の平行なスパナ掛け面を有している。
【００１７】
図１Ｃの例３は、取り付けねじ２５″のねじ込み限度において、取り付けねじ２５″と接触するように、注入弁１５″の外面につば部４１を設け、弁筒口部１４の端面に接することにより注入弁１５″の差し込み量を規定するように周方向のスペーサー部４２を設けて成る係合手段の突部を有している。例３のつば部４１は既存のもの、またスペーサー部４２はワッシャを使用している。例３の滑り止め２９″は、六角ナット状に形成されている。故に、弁筒部１２に注入弁１５″を前記２例と同様に差し込み、外方から取り付けねじ２５″を螺合させると、周方向のスペーサー部４２を弁筒口部１４の端面に接した状態で締め付けられることになり、取り付けねじ２５″の袋状口部２８の内面によって加圧されているつば部４１と、弁筒口部１４に接しているスペーサー部４２との間に必要な隙間４５が保たれるので、それによって弁筒口部１４から突出している量Ｌも一定に管理される。図５の例４は、つば部４１とスペーサー部４２を一体化した突部４６を設けている。
即ち例４は例３と同じ目的を持つ変形例であり、突出量Ｌを得る位置に突部４６を設けているものである。なお例３、４では凹部３１を使用しない。
【００１８】
本発明は上記各例１、２、３による説明から明らかなように、取り付けねじ２５…を弁筒部１２に螺合し、締め付けても、それらの間に隙間１９、３５、４５を生じるため、虫ゴム１８に過度の外力を加えることなく、破損に到るのを防ぐことができるものである。そして取り付けねじ２５…を、工具を用いて、必要なねじ込み限度まで緊締することにより、指先ではゆるめることができない強い締め付け状態を得ることができる。
【図面の簡単な説明】
【００１９】
【図１】本発明に係る英式バルブの実施形態の例を示すもので、Ａは例１の、Ｂは例２の、Ｃは例３の分解斜視図である。
【図２】本発明による例１に関するもので、Ａは正面図、Ｂは縦断面図である。
【図３】本発明による例２に関するもので、Ａは正面図、Ｂは縦断面図である。
【図４】本発明による例３に関するもので、Ａは正面図、Ｂは縦断面図である。
【図５】本発明による例４に関するもので、Ａは正面図、Ｂは縦断面図である。
【符号の説明】
【００２０】
１１  チューブ
１２  弁筒部
１３  おねじ部
１４  弁筒口部
１５、１５′、１５″  注入弁
１８、１８′  シールゴム
１９、３５、４５  隙間
２１、３１  凹部
２２、３２  凸部
２３、３３  凸部の先端
２４、３４  凹部底
２５、２５′、２５″  取り付けねじ
２６  めねじ部
２９、２９′、２９″  滑り止め
４１  つば部
４２  スペーサー部
４６  突部
【図１】
2006226379.tif 000003
【図２】
2006226379.tif 000004
【図３】
2006226379.tif 000005
【図４】
2006226379.tif 000006
【図５】
2006226379.tif 000007